(57)【要約】      （修正有）【課題】調味料の使用量に応じたサービスを提供すること。【解決手段】計測装置２０の計測部２１は、調味料の重さ（重量）を計測し、識別情報取得部２２は、調味料の容器に添付されたタグから、タグのＩＤを取得する。通知部２３は、タグのＩＤと、調味料の重さを、情報処理装置１０に通知する。情報処理装置１０は、タグの識別情報と、調味料の重量を取得する取得部１２と、識別情報及び重量に基づいて、調味料の使用量を算出する算出部１３と、使用量に応じたサービスを提供する提供部１４を備える。【選択図】図２
2018054418.tif 000002
【特許請求の範囲】
【請求項１】
タグの識別情報と、前記タグが添付された調味料の重量を取得する取得部と、
前記識別情報及び前記重量に基づいて、前記調味料の使用量を算出する算出部と、
前記算出された使用量に応じたサービスを提供する提供部と、
を備えることを特徴とする情報処理装置。
【請求項２】
前記提供部は、前記調味料の残量が所定の閾値以下の場合に、前記調味料と同じ種別である１以上の調味料を取得し、前記１以上の調味料のうち、選択された調味料の購入をサーバ装置に要求する、
ことを特徴とする請求項１記載の情報処理装置。
【請求項３】
前記提供部は、前記タグが添付された調味料の重量が、前回取得時よりも増加している場合に、前記購入された調味料を、前記タグが添付された調味料の候補として表示する
ことを特徴とする請求項２記載の情報処理装置。
【請求項４】
前記提供部は、所定期間における前記調味料の使用量に応じて選択されたレシピを表示する
ことを特徴とする請求項１乃至３のいずれか一項に記載の情報処理装置。
【請求項５】
前記提供部は、所定期間における前記調味料の使用量と、前記タグが添付された調味料の成分の濃度に応じて選択されたレシピを表示する
ことを特徴とする請求項４に記載の情報処理装置。
【請求項６】
情報処理装置、及び計測装置を有する情報処理システムであって、
前記情報処理装置は、
タグの識別情報と、前記タグが添付された調味料の重量を取得する取得部と、
前記識別情報及び前記重量に基づいて、前記調味料の使用量を算出する算出部と、
前記算出された使用量に応じたサービスを提供する提供部と、
を備え、
前記計測装置は、
前記タグが添付された調味料の重量を計測する計測部と、
前記タグの識別情報を取得する識別情報取得部と、
前記計測された重量と、前記取得された識別情報を、前記情報処理装置に通知する通知部と、
を備えることを特徴とする情報処理システム。
【請求項７】
情報処理装置が、
タグの識別情報と、前記タグが添付された調味料の重量を取得するステップと、
前記識別情報及び前記重量に基づいて、前記調味料の使用量を算出するステップと、
前記算出された使用量に応じたサービスを提供するステップと、
を実行することを特徴とする情報処理方法。
【請求項８】
コンピュータに、
タグの識別情報と、前記タグが添付された調味料の重量を取得するステップと、
前記識別情報及び前記重量に基づいて、前記調味料の使用量を算出するステップと、
前記算出された使用量に応じたサービスを提供するステップと、
を実行させるプログラム。
【発明の詳細な説明】
【技術分野】
【０００１】
本発明は、情報処理装置、情報処理システム、情報処理方法、及びプログラムに関する。
【背景技術】
【０００２】
従来、調味料における塩分等の成分量を計測する装置が知られている（例えば、特許文献１、２参照）。
【先行技術文献】
【特許文献】
【０００３】
【特許文献１】特開２００２−０２２５２４号公報
【特許文献２】特開２００９−２３６５０６号公報
【発明の概要】
【発明が解決しようとする課題】
【０００４】
しかしながら、従来技術では、調味料の使用量に応じたサービスを提供することについては考慮されていない。
【０００５】
そこで、調味料の使用量に応じたサービスを提供することを目的とする。
【課題を解決するための手段】
【０００６】
情報処理装置において、タグの識別情報と、前記タグが添付された調味料の重量を取得する取得部と、前記識別情報及び前記重量に基づいて、前記調味料の使用量を算出する算出部と、前記算出された使用量に応じたサービスを提供する提供部と、
を備える。
【発明の効果】
【０００７】
開示の技術によれば、調味料の使用量に応じたサービスを提供することが可能となる。
【図面の簡単な説明】
【０００８】
【図１】実施形態における情報処理システムの構成例を示す図である。
【図２】実施形態における情報処理装置の機能構成の一例を示す図である。
【図３】情報処理システムの処理の一例を示すシーケンス図である。
【図４】情報処理装置の処理の一例を示すフローチャートである。
【図５】調味料情報の一例を示す図である。
【図６】計測された調味料の候補の表示画面例を示す図である。
【図７】購入する調味料の候補の一覧の表示画面例を示す図である。
【発明を実施するための形態】
【０００９】
以下、図面に基づいて本発明の実施形態を説明する。図１は、本発明の実施形態における情報処理システム１の構成例を示す図である。図１において、情報処理システム１は、情報処理装置１０、計測装置２０、タグ３０及びサーバ装置４０を含む。
【００１０】
情報処理装置１０と計測装置２０は、例えばＢｌｕｅｔｏｏｔｈ（登録商標）、無線ＬＡＮ（Local  Area  Network）等の近距離無線によって通信可能に接続される。
【００１１】
情報処理装置１０とサーバ装置４０は、例えば携帯電話網、インターネット等の通信回網によって通信可能に接続される。
【００１２】
情報処理装置１０は、例えばスマートフォン、パーソナルコンピュータ、タブレット端末、通信機能を有する給湯リモコン、通信機能を有する台所リモコン等である。
【００１３】
情報処理装置１０は、計測装置２０から、タグ３０のＩＤ（識別情報）と、タグ３０が添付された調味料の重量を取得する。そして、情報処理装置１０は、取得したタグ３０のＩＤ、及び当該調味料の重量に基づいて、当該調味料の使用量を算出し、当該使用量に応じたサービスをユーザに提供する。
【００１４】
計測装置２０は、タグ３０が添付された調味料の重量を計測し、タグ３０のＩＤを取得し、計測した重量と、取得したＩＤを、情報処理装置１０に通知する。
【００１５】
タグ３０は、例えばＩＣタグ等のＲＦＩＤ（Radio  frequency  identification）であり、調味料の容器等に添付される。タグ３０は、電波によりタグ３０のＩＤを計測装置２０に通知する。
【００１６】
サーバ装置４０は、情報処理装置１０からの要求に応じて、インターネット上の通販サイトに含まれる情報等を情報処理装置１０に送信する。
【００１７】
なお、情報処理装置１０と計測装置２０を一体の装置であるＩｏＴ（Internet  of  Things）電子はかりとして構成してもよい。
【００１８】
＜機能構成＞
次に、図２を参照し、情報処理装置１０及び計測装置２０の機能構成について説明する。図２は、実施形態における情報処理装置１０及び計測装置２０の機能構成の一例を示す図である。
【００１９】
情報処理装置１０は、取得部１２、算出部１３、及び提供部１４を有する。これら各部は、情報処理装置１０にインストールされた１以上のプログラムが、情報処理装置１０のＣＰＵに実行させる処理により実現される。
【００２０】
また、情報処理装置１０は、記憶部１１を有する。記憶部１１は、例えば、補助記憶装置等を用いて実現される。
【００２１】
記憶部１１は、調味料情報１１１を記憶する。調味料情報１１１については後述する。
【００２２】
計測装置２０は、計測部２１、識別情報取得部２２、及び通知部２３を有する。計測部２１は、重力を測定する公知の装置を用いて実現してもよい。識別情報取得部２２、及び通知部２３は、計測装置２０にインストールされた１以上のプログラムが、計測装置２０のＣＰＵに実行させる処理により実現される。
【００２３】
＜処理＞
次に、図３を参照し、情報処理システム１の処理について説明する。図３は、情報処理システム１の処理の一例を示すシーケンス図である。
【００２４】
ステップＳ１０において、計測装置２０の計測部２１は、調味料の重さ（重量）を計測する。例えば、ユーザが調味料の容器を計測装置２０の計測台に載置することにより、計測装置２０により調味料の重さが計測される。なお、重さの計測は、公知の技術を用いて計測してもよい。
【００２５】
続いて、計測装置２０の識別情報取得部２２は、調味料の容器に添付されたタグ３０から、タグのＩＤを取得する（ステップＳ１１）。
【００２６】
続いて、計測装置２０の通知部２３は、タグ３０のＩＤと、調味料の重さを、情報処理装置１０に通知する（ステップＳ１２）。
【００２７】
続いて、情報処理装置１０の算出部１３は、調味料の残量を算出する（ステップＳ１３）。
【００２８】
続いて、情報処理装置１０の提供部１４は、調味料の残量が、所定の閾値以下である場合、サーバ装置４０から、購入する調味料の候補の一覧を取得し、画面に表示する（ステップＳ１４）。
【００２９】
続いて、情報処理装置１０の提供部１４は、ユーザから、調味料を指定した購入操作を受け付けると（ステップＳ１５）、指定された調味料の購入をサーバ装置４０に要求する（ステップＳ１６）。
【００３０】
続いて、情報処理装置１０の提供部１４は、指定された調味料の情報をサーバ装置４０から取得する（ステップＳ１７）。
【００３１】
続いて、情報処理装置１０の算出部１３は、調味料の使用量を算出する（ステップＳ１８）。
【００３２】
続いて、情報処理装置１０の提供部１４は、調味料に含まれる、塩分、糖分、化学調味料等の各成分の摂取量を表示する（ステップＳ１９）。
【００３３】
続いて、情報処理装置１０の提供部１４は、調味料の使用量に応じたレシピを表示する（ステップＳ２０）。
【００３４】
続いて、計測装置２０の計測部２１は、載置されていた調味料が取り除かれた後、再度調味料が載置されると、調味料の重さを計測する（ステップＳ２１）。
【００３５】
続いて、計測装置２０の識別情報取得部２２は、調味料の容器に添付されたタグ３０から、タグ３０のＩＤを取得する（ステップＳ２２）。
【００３６】
続いて、計測装置２０の通知部２３は、タグ３０のＩＤと、調味料の重さを、情報処理装置１０に通知する（ステップＳ２３）。
【００３７】
続いて、情報処理装置１０の提供部１４は、調味料の残量を算出する（ステップＳ２４）。
【００３８】
続いて、情報処理装置１０の提供部１４は、調味料の残量が前回の計測時よりも所定の閾値以上増加している場合、調味料情報１１１を参照し、計測装置２０に載置された調味料の候補を表示する（ステップＳ２５）。
【００３９】
続いて、情報処理装置１０の提供部１４は、ユーザから、計測装置２０に載置された調味料を選択する操作を受け付けると（ステップＳ２６）、選択された調味料の調味料情報１１１に、タグ３０のＩＤを対応付けて記憶する（ステップＳ２７）。
【００４０】
≪情報処理装置の処理≫
次に、図４を参照し、情報処理装置１０の処理について説明する。図４は、情報処理装置１０の処理の一例を示すシーケンス図である。
【００４１】
ステップＳ１０１において、情報処理装置１０の取得部１２は、計測装置２０から、タグ３０のＩＤと、調味料の重さを取得する。
【００４２】
続いて、情報処理装置１０の算出部１３は、調味料の残量を算出する（ステップＳ１０２）。
【００４３】
図５は、調味料情報１１１の一例を示す図である。調味料情報１１１には、タグＩＤ、名称、容器の重量、成分の濃度、購入日時、前回計測時重量の項目が含まれる。
【００４４】
タグＩＤは、調味料の容器に添付されたタグ３０のＩＤである。名称は、調味料の名称である。容器の重量は、調味料の容器の重量である。容器の重量は、例えば、未開封の際に計測装置２０により計測された重量から、ラベル等に記載された内容量を減算することにより、予め設定されてもよい。
【００４５】
成分の濃度は、調味料に含まれる塩分、糖分、化学調味料等の各成分の濃度である。購入日時は、調味料を購入した日時である。前回計測時重量は、前回計測した際の調味料の重さである。
【００４６】
調味料の残量は、例えば、計測装置２０により計測された重量から、容器の重量を減算することにより算出される。
【００４７】
続いて、情報処理装置１０の提供部１４は、調味料の残量が所定の閾値以下であるか否か判定する（ステップＳ１０３）。ここで、所定の閾値は、ユーザからの設定操作等に応じて予め設定されていてもよい。または、情報処理装置１０の提供部１４は、調味料の残量の履歴から、例えば調味料が空になる１週間前の残量を算出し、算出した残量を所定の閾値として設定してもよい。
【００４８】
調味料の残量が所定の閾値以下でない場合（ステップＳ１０３でＮＯ）、情報処理装置１０の提供部１４は、調味料の残量が前回の計測時よりも所定の閾値以上増加したか否かを判定する（ステップＳ１０４）。
【００４９】
前回の計測時よりも所定の閾値以上増加していない場合（ステップＳ１０４でＮＯ）、後述するステップＳ１１２の処理に進む。
【００５０】
前回の計測時よりも所定の閾値以上増加している場合（ステップＳ１０４でＹＥＳ）、情報処理装置１０の提供部１４は、調味料情報１１１を参照し、計測装置２０に計測された調味料の候補を表示する（ステップＳ１０５）。例えば、調味料情報１１１において、タグＩＤの項目が設定されていないデータのうち、購入日時が新しい順に、調味料の名称を表示する。
【００５１】
図６は、計測された調味料の候補の表示画面例を示す図である。図６の例では、計測された調味料の候補５０１Ａ〜５０１Ｃの画像のサムネイルと名称が表示されている。「その他」のアイコン５０１Ｄを選択した場合は、調味料の情報をユーザが手動で入力できるようにしてもよい。
【００５２】
続いて、情報処理装置１０の提供部１４は、ユーザから、計測装置２０に計測された調味料を選択する操作を受け付けると（ステップＳ１０６）、選択された調味料の調味料情報１１１に、タグ３０のＩＤを対応付けて記憶し（ステップＳ１０７）、後述するステップＳ１１２の処理に進む。
【００５３】
調味料の残量が所定の閾値以下である場合（ステップＳ１０３でＹＥＳ）、情報処理装置１０の提供部１４は、サーバ装置４０から、購入する調味料の候補の一覧を取得し、画面に表示する（ステップＳ１０８）。なお、購入する調味料の候補には、計測された調味料、及び当該調味料と同じ種別であり、当該調味料に関連する他の調味料が含まれてもよい。例えば、計測された調味料を購入した他の複数のユーザがよく買っている他の調味料や、１以上の成分の濃度について、計測された調味料のものとの差が所定の閾値以内である他の調味料を、計測された調味料に関連する他の調味料としてサーバ装置４０から検索してもよい。
【００５４】
図７は、購入する調味料の候補の一覧の表示画面例を示す図である。図７の例では、購入する調味料の候補５１１Ａ〜５１１Ｃの画像のサムネイルと名称が表示されている。「もっと見る」のアイコン５１１Ｄを選択した場合は、他の候補がさらに所定数表示されるようにしてもよい。
【００５５】
続いて、情報処理装置１０の提供部１４は、ユーザから、調味料を指定した購入操作を受け付けると（ステップＳ１０９）、指定された調味料の購入をサーバ装置４０に要求する（ステップＳ１１０）。
【００５６】
続いて、情報処理装置１０の提供部１４は、指定された調味料について、名称、容器の重量、成分の濃度、購入日時の情報をサーバ装置４０から取得し、調味料情報１１１に記録する（ステップＳ１１１）。なお、購入日時の情報は、サーバ装置４０から取得する代わりに、現在の日時を購入日時として記憶してもよい。
【００５７】
続いて、情報処理装置１０の算出部１３は、調味料の使用量を算出する（ステップＳ１１２）。
【００５８】
例えば、調味料情報１１１に、タグ３０のＩＤと対応付けて記憶されている調味料の前回計測時重量から、計測装置２０により今回計測された調味料の重さを減算することにより算出される。
【００５９】
続いて、情報処理装置１０の提供部１４は、調味料に含まれる各成分の摂取量を表示する（ステップＳ１１３）。例えば、調味料の使用量に、調味料情報１１１においてタグ３０のＩＤと対応付けて記憶されている成分の濃度を乗算した値を、成分の摂取量として表示する。
【００６０】
なお、情報処理装置１０の提供部１４は、成分の摂取量を、日単位で集計し、各日の摂取量を折れ線グラフ等により表示してもよい。また、情報処理装置１０の提供部１４は、例えば一日等の所定期間における成分摂取量の目安を予め設定しておき、当該所定期間における成分の摂取量が、当該目安を超えた場合は、「一日の塩分摂取量が、目安量を２グラム超過しました。」等の注意を喚起するメッセージを表示してもよい。また、当該所定期間における成分の摂取量が、当該目安より少ない場合は、「一日の塩分摂取量が、目安量まであと３グラムになりました。」等のメッセージを表示してもよい。
【００６１】
続いて、情報処理装置１０の提供部１４は、調味料の使用量に応じたレシピ（献立）を表示する（ステップＳ１１４）。
【００６２】
ここで、情報処理装置１０の提供部１４は、例えば、一日や一週間等の所定期間における成分摂取量の目安を予め設定しておき、現在までの成分摂取量との差分に応じたレシピを選択してもよい。この場合、当該差分と、調味料に含まれる各成分の濃度に応じたレシピを選択してもよい。これにより、例えば、ユーザが使用している調味料が減塩でない通常の醤油である場合は減塩レシピを選択し、ユーザが使用している調味料が減塩醤油である場合は、減塩レシピではなく通常のレシピを選択することができる。
また、情報処理装置１０の提供部１４は、例えば、一日や一週間等の第１の期間における成分摂取量の目安を予め設定しておき、一週間や一か月等の第２の期間における成分摂取量の遷移と、第１の期間における現在までの成分摂取量との差分に応じたレシピを選択してもよい。この場合、例えば、第２の期間において継続的に、当該目安と比較して成分を多く摂取している場合は、徐々に当該目安となる摂取量まで成分が減るように、レシピを選択してもよい。これにより、例えば徐々に低塩分のメニューにユーザの舌を慣らしていくことができる。また、例えば、第２の期間において前日だけ偶発的に当該目安と比較して成分を多く摂取している場合は、前日の摂取量と当該目安の摂取量との差分と同程度の成分を減らしたレシピを選択してもよい。これにより、例えば昨日だけたまたま塩分を多く摂取した場合に、次の日は減塩とすることができる。
【００６３】
続いて、情報処理装置１０の提供部１４は、調味料情報１１１において、タグ３０のＩＤと対応付けて記憶されている調味料の前回計測時重量に、計測装置２０により今回計測された調味料の重さの値を記憶する（ステップＳ１１５）。
【００６４】
＜まとめ＞
上述した実施形態によれば、タグ３０のＩＤ（識別情報）と、タグ３０が添付された調味料の重量を取得する。そして、取得したタグ３０のＩＤ、及び当該調味料の重量に基づいて、当該調味料の使用量を算出し、当該使用量に応じたサービスをユーザに提供する。
【００６５】
これにより、調味料の使用量に応じた調味料の購入のレコメンドや、調味料の使用量に応じたレシピ提供等のサービスを提供することができる。
【００６６】
＜情報処理プログラムについて＞
本実施形態に係る情報処理装置１０は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）等の揮発性の記憶媒体、ＲＯＭ（Ｒｅａｄ  Ｏｎｌｙ  Ｍｅｍｏｒｙ）等の不揮発性の記憶媒体、マウスやキーボード、ポインティングデバイス等の入力装置、画像やデータを表示する表示部、並びに外部と通信するためのインターフェースを備えたコンピュータによって構成してもよい。
【００６７】
その場合、情報処理装置１０が有する各機能は、これらの機能を記述したプログラム（検出プログラム）をＣＰＵに実行させることによりそれぞれ実現可能となる。また、このプログラムは、磁気ディスク（フロッピィーディスク、ハードディスク等）、光ディスク（ＣＤ−ＲＯＭ、ＤＶＤ等）、半導体メモリ等の記録媒体に格納して頒布することもできる。
【００６８】
つまり、上述した各構成における処理をコンピュータ（ハードウェア）に実行させるためのプログラムを、例えば汎用のＰＣやサーバ等にそのプログラムをインストールすることにより、上述した処理を実現することができる。
【００６９】
また、上述した実施形態における情報処理装置１０、及び計測装置２０の一部、または全部を、ＬＳＩ（Ｌａｒｇｅ  Ｓｃａｌｅ  Ｉｎｔｅｇｒａｔｉｏｎ）等の集積回路として実現してもよい。情報処理装置１０、及び計測装置２０の各機能ブロックは個別にプロセッサ化してもよいし、一部、または全部を集積してプロセッサ化してもよい。
【００７０】
以上、本発明の実施例について詳述したが、本発明は斯かる特定の実施形態に限定されるものではなく、特許請求の範囲に記載された本発明の要旨の範囲内において、種々の変形・変更が可能である。
【００７１】
例えば、情報処理装置１０及び計測装置２０は一体の装置として構成してもよい。
【００７２】
また、情報処理装置１０の例えば、記憶部１１、算出部１３、提供部１４等の各機能部は、１以上のコンピュータにより構成されるクラウドコンピューティングにより実現されていてもよい。
【００７３】
サーバ装置４０は、１以上のコンピュータにより構成されるクラウドコンピューティングにより実現されていてもよい。この場合、例えば、ユーザのアカウントを管理する機能等をサーバ装置４０Ａにより実現し、ステップＳ１６の調味料の購入等の処理を、他の事業者が運用する外部のサーバ装置４０Ｂにより実現してもよい。
【００７４】
また、ステップＳ１９における、調味料に含まれる、塩分、糖分、化学調味料等の各成分の摂取量の算出、ステップＳ２０における調味料の使用量に応じたレシピの選択等の処理は、外部のサーバ装置４０Ｂにより実現してもよいことは言うまでもない。
【符号の説明】
【００７５】
１  情報処理システム
１０  情報処理装置
１１  記憶部
１１１  調味料情報
１２  取得部
１３  算出部
１４  提供部
２０  計測装置
２１  計測部
２２  識別情報取得部
２３  通知部
３０  タグ
４０  サーバ装置
【図１】
2018054418.tif 000003
【図２】
2018054418.tif 000004
【図３】
2018054418.tif 000005
【図４】
2018054418.tif 000006
【図５】
2018054418.tif 000007
【図６】
2018054418.tif 000008
【図７】
2018054418.tif 000009